(57)【要約】【課題】保管や装着が簡単で、かさばらず、セットした髪形が型崩れせず、耐久性に優れた頭髪整形補助具を提供することができるようにする。【解決手段】両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は固定具で形成した。【選択図】図１
0003152679.tif 000002
【実用新案登録請求の範囲】
【請求項１】
両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は固定具で形成したことを特徴とする頭髪整形補助具。
【請求項２】
固定具が、本体部の前端縁部分から前方または後方のいずれか一方に、本体部の周縁部に連結されたワイヤを曲成して形成された頭髪挿入部からなる請求項１に記載の頭髪整形補助具。
【請求項３】
フック部分とこれに掛合するループ部分とならなる面ファスナのフック部分を本体部の下面に設けて固定具を形成したことを特徴とする請求項１に記載の頭髪整形補助具。
【請求項４】
固定具が、本体部の左右の両端部から下方に垂下された側頭部押圧片で形成されていることを特長とする請求項１に記載の頭髪整形補助具。
【考案の詳細な説明】
【技術分野】
【０００１】
本考案は、所望する髪形を簡単に形成するための頭髪整形補助具に関するものである。
【背景技術】
【０００２】
頭髪を整えるときに使用するものとしては、特許文献１に示される一般に「カチューシャ」といわれる固定具形式のものや特許文献２に示される頭髪用のクリップが知られている。
【０００３】
上記カチューシャは、主として前髪が垂れてきたり、風等で髪が乱れたりするのを防止するために髪をおさえこむためのものであり、頭髪用のクリップは、束ねた髪を固定するものであることから、長い頭髪を嵩上げしてボリュームアップするときに使用することができない。
そこで、ボリュームアップする場合、一般的には自分の髪で逆毛を立てたり、添え毛、付け毛や足し毛といわれる「髢」が使用されたりしている。
【０００４】
ところが、逆毛を立てる場合、髪への負担、特に毛根部分への負担が大きく、髪を傷めたり、抜け毛の原因になったりする。
また、「髢」を使用する場合、「髢」は毛髪と同様、湿度や温度、時間経過等で徐々に変化しやすく、セットした形状を長く保つことが難しいという問題があった。
また、「髢」はかさばる上に保管等が難しい上に、一人で装着するのは至難の技であることから、若い女性に広く普及していないのが現状である。
【先行技術文献】
【特許文献】
【０００５】
【特許文献１】特開２０００−９３２２７号公報
【特許文献２】特開２００９−８２６９０号公報
【考案の概要】
【考案が解決しようとする課題】
【０００６】
そこで、本考案にかかる頭髪整形補助具は、上記問題点に鑑みて提案されたもので、保管や装着が簡単で、かさばらず、セットした髪形が型崩れせず、耐久性に優れた頭髪整形補助具を提供することができるようにすることを目的とするものである。
【課題を解決するための手段】
【０００７】
上記目的を達成するために、本考案にかかる頭髪整形補助具は、両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は固定具で形成したことを最も主要な特徴とするものである。
【０００８】
本考案にかかる頭髪整形補助具では、固定具が、本体部の前端縁部分から前方または後方のいずれか一方に、本体部の修の端部に連結されたワイヤを曲成して形成された頭髪挿入部からなることや、フック部分とこれに掛合するループ部分とならなる面ファスナのフック部分を本体部の下面に設けて固定具を形成したこと、固定具が、本体部の左右の両端部から下方に垂下された側頭部押圧片で形成されていることのも特長とするものである。
【考案の効果】
【０００９】
本考案にかかる頭髪整形補助具は、両端部分で連結された大小２つの円弧もしくは台形（以下円弧状という）により、当該円弧状部分の中央部が頭髪を嵩あげするために離間させてなる本体部と、当該本体部の上面ならびに下面にそれぞれ本体部と一体に形成された頭髪保持部を備え、上面の頭髪保持部は複数の突片を円弧状部分の上面に対して垂直方向に頭髪保持用空間を空けた状態で突出形成させるとともに、下面の頭髪保持部は固定具で形成してある。
これにより、頭髪整形補助具が固定具で頭部にしっかりと固定され、この固定された頭髪整形補助具の上面の頭髪保持部覆う頭髪が確実に保持されて保形されるので、嵩上げした所望する髪形が型崩れすることがない。
【００１０】
さらに、本考案にかかる頭髪整形補助具は、従来のクリップや固定具のように、一人で簡単に装着できる上、「髢」のように嵩張らずクリップや固定具とともに保管することができる利点もある。
【００１１】
特に、固定具が、本体部の前端縁部分から前方または後方のいずれか一方に、本体部の修の端部に連結されたワイヤを曲成して形成された頭髪挿入部で構成されたものでは、軽量であり、装着感もよく、当該部分が頭髪内に挿入されるときに、自身も変形することから頭髪に与える負担も小さく頭髪や毛根をいためたりすることを可及的に防止できる利点がある。
【００１２】
また、固定具を、本体部の左右の両端部から下方に垂下された側頭部押圧片で形成するようにしたものでは、当該側頭部押圧片を差し込むだけで頭髪整形補助具を手早く簡単に装着することができる利点がある。
フック部分とこれに掛合するループ部分とならなる面ファスナのフック部分を本体部の下面に設けて固定具を形成したものでは、既存のもの利用でき、簡単な構造で安価に実施できる利点がある。
【図面の簡単な説明】
【００１３】
【図１】は本考案にかかる頭髪整形補助具の第一実施例を示す斜視図である。
【図２】は本考案にかかる頭髪整形補助具の使用手順を示す斜視図である。
【図３】は本考案にかかる頭髪整形補助具の使用手順を示す斜視図である。
【図４】は本考案にかかる頭髪整形補助具の使用手順を示す斜視図である。
【図５】は本考案にかかる頭髪整形補助具の第二実施例を示す正面図である
【図６】は本考案にかかる頭髪整形補助具にかかる固定具の変形例を示す縦断面である。
【考案を実施するための形態】
【００１４】
以下、本考案の頭髪整形補助具にかかる最も好ましい実施の形態を図面に基づいて説明する。
【実施例１】
【００１５】
図１は本考案にかかる頭髪整形補助具の斜視図であって、図中符号１は頭髪整形補助具を全体的に示す。
この頭髪整形補助具１は、両端部分で連結された曲率の大きな円弧２の上に曲率の小さな円弧３の大小２つの円弧により半月状に形成された本体部４と、この本体部４の上面５及び下面６の夫々に本体部と一体に形成された頭髪保持部とを備えてなる。
尚、大小２つの円弧２・３により形成される半月状の本体部４は、必ずしも円弧で形成されたものに限られず、図示は省略したが大小２つの台形あるいは本体部４の上部もしくは下部のいずれかが台形であってもよく、以後、これらを含めて本体部４の形状を円弧状という。
【００１６】
上記本体部４は、合成樹脂（ABS樹脂）により後述する頭髪保持部７・８を一体成形した２つの割形片９・１０を組み付けて形成されている。
この割形片９・１０は、曲率の大きな円弧２の上に曲率の小さな円弧３をその両端部で連結することにより、中央部分が離間し、その空間が左右の両端側で徐々に狭くなるように形成されており、空間の中間部分には縦リブ１１で支えられた１本の横リブ１２が形成されている。
また、割形片９・１０の裏面（割形片同士を接合する面）側には、図示は省略したが、中央部分を線対称とする位置に突起とこれが嵌合する嵌合用の穴とが１組ずつ形成されている（図６参照）。
【００１７】
そして、本体部４の円弧状の上面５に形成される頭髪保持部７は、同図に示すように先端が２重の鏃形をした板状突起１３を等間隔に複数突出させ、この板状突起１３・１３間に頭髪保持空間１４が形成されている。
一方、本体部４の円弧状の下面６に形成される頭髪保持部８は、本体部４の大径の円弧状部分の前面側に設けられており、ワイヤ１５をジグザグに折り曲げ、中間に頭髪保持用空間１６を設けた状態で、正面視において本体部４の円弧状の下面６に略沿う円弧状にし、ワイヤ１５の左右の両端部を本体部４の左右の端部に埋め込んで連結した固定具１７で形成してある。
【００１８】
上記のように構成された頭髪整形補助具１を用いて頭髪１８をボリュームアップするための使用手順を次に説明する。
先ず、割形片９・１０の裏面同士向かい合わせにし、一方の割形片の突起とこれが対面する他方の割形片の嵌合用の穴とを嵌合させて図１に示す頭髪整形補助具１を形成する。
この突起と嵌合用の穴との嵌合には摩擦嵌合によりしっかりと嵌合するようになっているが、接着剤により固定することも可能である。
【００１９】
次に、ボリュームアップする部分の頭髪１８の一部（例えば半分）を掴みあげ、図２に示すように、頭髪整形補助具１の下面に形成された固定具１７部分を残された頭髪１８の中に挿入し、頭髪保持空間１６に頭髪１８を保持させることにより、頭髪整形補助具１を下部の頭髪１８にしっかりと固定する。
このとき、固定具１７を形成するワイヤ１５が弾性変形しながら、頭髪保持用空間部分１６に頭髪１８をくわえ込み、頭髪整形補助具１が固定される。
頭髪整形補助具１が下部の頭髪１８にしっかりと固定されると、これまで掴みあげていた髪１８を頭髪整形補助具１の上面５部分を覆うように降ろし、頭髪整形補助具１の上面５に形成された頭髪保持空間１４に頭髪の一部を挿入すると図３および図４に示すようなボリュームアップした髪形が完成する。
【００２０】
斯くして、頭髪１８内に装着された頭髪整形補助具１はその上下の頭髪保持空間１４・１６に挿入された頭髪１８によりずれ動くことなくしっかりと固定される。
これにより、頭髪整形補助具１で整えられた髪形は、湿度や雨・風、温度等によっても型崩れすることがなく、その髪形を長く維持することができる。
以上の説明で明らかなように、本考案の頭髪整形補助具１による頭髪の整形は、頭髪整形補助具１を従前のクリップや櫛と同様に使用できるので、一人でも手早く、簡単に行える。
因みに、上記実施の形態では、頭髪整形補助具１の本体部４を、２つの割形片９・１０を組み付けて形成するようにしてあるがこうしたものに限られず、１つものとして樹脂成型することも可能である。
【実施例２】
【００２１】
図５に示すものは本考案にかかる頭髪整形補助具１の別の実施例を示す斜視図であって、本例は上記実施例１のワイヤ１５で形成した固定具１７に代えて、半月状の本体部４の左右の両端部分から下方に垂下された側頭部押圧片１９で形成するとともに、本体部４の円弧状の下面６には櫛歯形状の止め付け部２１が形成された、いわゆるカチューシャタイプになっている。
そして、本例における頭髪整形補助具１は、上記実施例１と同様に、ボリュームアップする部分の頭髪１８の一部を掴みあげ、固定具２０を構成する側頭部押圧片１９を差し込むだけで頭髪整形補助具１を手早く簡単に固定することができるものである。
【００２２】
尚、図６に示すものは固定具２２の変形例を示すもので、この固定具２２はフック部分とループ部分とならなる一般のテープ状の面ファスナの、フック部分を本体部４の下面に貼着固定して固定具を形成するようにしたものである。
また、上記各実施例で説明したようにして頭髪１８の中に本考案にかかる頭髪整形補助具１により髪形１８を整形した後、図示は省略したが、左右の側方の頭髪１８を寄せて頭髪整形補助具１の後方部分（後頭部分）でまとめてバンドやクリップで固定すると、髪形の保持性能をいっそう向上させることができる。
【００２３】
さらに、上記実施の形態では、頭髪整形補助具１をABS樹脂で成型するようにしてあるが、こうした合成樹脂に限られることはないが、スプレーを使用することがあることを考慮すると、耐有機溶剤性のある合成樹脂で成型することが望ましい。
加えて、上記各実施の形態では、本体部４の円弧状の上面に形成される頭髪保持部１４を、その先端が２重の鏃形をした板状突起１３にしてあるが、これを櫛歯形状にすることも可能である。
【符号の説明】
【００２４】
１・・・頭髪整形補助具
２・３・・・円弧
４・・・本体部
７・８・・・頭髪保持部
９・１０・・・割形片
１３・・・突片（板状突起）
１４・１６・・・頭髪保持空間
１９・・・頭髪
１７・２０・２２・・・固定具
【図１】
0003152679.tif 000003
【図２】
0003152679.tif 000004
【図３】
0003152679.tif 000005
【図４】
0003152679.tif 000006
【図５】
0003152679.tif 000007
【図６】
0003152679.tif 000008